(57)【特許請求の範囲】
【請求項１】
それぞれに３個のポートが設けられた第１及び第２流路切換弁と、前記第１及び第２流路切換弁間を連通せしめる第１及び第２連通路とを備え、前記第１及び第２流路切換弁に合計で６個設けられたポート間の連通状態が切り換えられるようにされた六方切換弁であって、
前記第１流路切換弁は、第１主弁室を画成する筒状の第１主弁ハウジングを有し、前記第１主弁室には、第１、第２、第３ポートが開口せしめられ、第１ポートと第２ポートの間に第１上部弁座が設けられ、第２ポートと第３ポートの間に第１下部弁座が設けられ、前記第１上部弁座と前記第１下部弁座に選択的に接離するポペット式の第１主弁体が軸線方向に移動自在に配在されるとともに、前記第１主弁体を移動させるための第１アクチュエータ部が備えられ、
前記第２流路切換弁は、第２主弁室を画成する筒状の第２主弁ハウジングを有し、前記第２主弁室には、第４、第５、第６ポートが開口せしめられ、第４ポートと第５ポートの間に第２上部弁座が設けられ、第５ポートと第６ポートの間に第２下部弁座が設けられ、前記第２上部弁座と前記第２下部弁座に選択的に接離するポペット式の第２主弁体が軸線方向に移動自在に配在されるとともに、前記第２主弁体を移動させるための第２アクチュエータ部が備えられ、
前記第１及び第２アクチュエータ部によって、前記第１及び第２流路切換弁において、前記第１及び第２主弁室内で前記第１及び第２主弁体を連動して移動させることにより、
前記第１流路切換弁において第２ポートと第３ポートとが連通せしめられ、前記第２流路切換弁において第５ポートと第６ポートとが連通せしめられるとともに、前記第１流路切換弁における第１ポートと前記第２流路切換弁における第４ポートとが、その間に設けられた前記第１連通路であって前記第２流路切換弁における第４ポートから前記第１流路切換弁における第１ポートに向かう方向にのみ流体を流す第１逆止弁が設けられた前記第１連通路を介して連通せしめられる第１連通状態と、
前記第１流路切換弁において第１ポートと第２ポートとが連通せしめられ、前記第２流路切換弁において第４ポートと第５ポートとが連通せしめられるとともに、前記第１流路切換弁における第３ポートと前記第２流路切換弁における第６ポートとが、その間に設けられた前記第２連通路であって前記第２流路切換弁における第６ポートから前記第１流路切換弁における第３ポートに向かう方向にのみ流体を流す第２逆止弁が設けられた前記第２連通路を介して連通せしめられる第２連通状態と、
をとり得るようにされていることを特徴とする六方切換弁。
【請求項２】
前記第１及び第２アクチュエータ部は、前記第１及び第２主弁室の一端側に設けられた、高圧流体が選択的に導入・排出される容量可変の第１及び第２作動室、並びに、前記第１及び第２作動室を画成するとともに前記第１及び第２主弁体が連結された第１及び第２ピストンを含んで構成されていることを特徴とする請求項１に記載の六方切換弁。
【請求項３】
前記第１流路切換弁における第１ポート、前記第２流路切換弁における第４ポート、及び、前記第１連通路が同一軸線上に配置され、
前記第１流路切換弁における第３ポート、前記第２流路切換弁における第６ポート、及び、前記第２連通路が同一軸線上に配置されていることを特徴とする請求項１又は２に記載の六方切換弁。
【請求項４】
前記第１及び第２流路切換弁が軸線方向を同じ方向に向けて横並びで配在されるとともに、前記第１及び第２流路切換弁における前記第１及び第２作動室が同じ側に配置されていることを特徴とする請求項２に記載の六方切換弁。
【請求項５】
前記第１及び第２流路切換弁における前記第１及び第２主弁体を同じ方向に移動させることにより、前記第１連通状態と前記第２連通状態とが切り換えられるようにされていることを特徴とする請求項４に記載の六方切換弁。
【請求項６】
前記第１及び第２作動室には、前記第１及び第２流路切換弁の前記第１及び第２主弁室に供給される高圧流体が導入されるようにされていることを特徴とする請求項２に記載の六方切換弁。
【請求項７】
前記第１及び第２作動室への高圧冷媒の導入・排出の制御を、前記第１及び第２流路切換弁の前記第１及び第２作動室に設けられたポート、並びに、前記六方切換弁の高圧部分と低圧部分とに接続された単一の三方パイロット弁により行うようにされていることを特徴とする請求項６に記載の六方切換弁。
【発明の詳細な説明】
【技術分野】
【０００１】
本発明は、弁体を移動させることにより流路の切り換えを行う流路切換弁（三方切換弁）を複数組み合わせて構成した六方切換弁に係り、特に、ヒートポンプ式冷暖房システム等において流路切換を行う流路切換弁として使用するのに好適な六方切換弁に関する。
【背景技術】
【０００２】
一般に、ルームエアコン、カーエアコン等のヒートポンプ式冷暖房システムは、圧縮機、室外熱交換器、室内熱交換器、及び膨張弁等に加えて、流路（流れ方向）切換手段としての流路切換弁を備えている。
【０００３】
この種の流路切換弁としては、四方切換弁がよく知られているが、それに代えて六方切換弁を用いることが考えられている。
【０００４】
以下に六方切換弁を備えたヒートポンプ式冷暖房システムの一例を図５を参照しながら簡単に説明する。図示例のヒートポンプ式冷暖房システム１００は、運転モード（冷房運転と暖房運転）の切り換えを六方切換弁１８０で行うようになっており、基本的には、圧縮機１１０、室外熱交換器１２０、室内熱交換器１３０、冷房用膨張弁１５０、及び暖房用膨張弁１６０を備え、それらの間に６個のポートｐＡ、ｐＢ、ｐＣ、ｐＤ、ｐＥ、ｐＦを有する六方切換弁１８０が配在されている。
【０００５】
前記各機器間は導管（パイプ）等で形成される流路で接続されており、冷房運転モードが選択されたときには、図５（Ａ）に示される如くに、圧縮機１１０から吐出された高温高圧の冷媒は、六方切換弁１８０のポートｐＡからポートｐＢを介して室外熱交換器１２０に導かれ、ここで室外空気と熱交換して凝縮し、高圧の二相冷媒となって冷房用膨張弁１５０に導入される。この冷房用膨張弁１５０により高圧の冷媒が減圧され、減圧された低圧の冷媒は、六方切換弁１８０のポートｐＥからポートｐＦを介して室内熱交換器１３０に導入され、ここで室内空気と熱交換（冷房）して蒸発し、室内熱交換器１３０からは低温低圧の冷媒が六方切換弁１８０のポートｐＣからポートｐＤを介して圧縮機１１０の吸入側に戻される。
【０００６】
それに対し、暖房運転モードが選択されたときには、図５（Ｂ）に示される如くに、圧縮機１１０から吐出された高温高圧の冷媒は、六方切換弁１８０のポートｐＡからポートｐＦを介して室内熱交換器１３０に導かれ、ここで室内空気と熱交換（暖房）して凝縮し、高圧の二相冷媒となって暖房用膨張弁１６０に導入される。この暖房用膨張弁１６０により高圧の冷媒が減圧され、減圧された低圧の冷媒は、六方切換弁１８０のポートｐＣからポートｐＢを介して室外熱交換器１２０に導入され、ここで室外空気と熱交換して蒸発し、室外熱交換器１２０からは低温低圧の冷媒が六方切換弁１８０のポートｐＥからポートｐＤを介して圧縮機１１０の吸入側に戻される。
【０００７】
前記した如くのヒートポンプ式冷暖房システムに組み込まれる六方切換弁として、特許文献１に所載の如くの、スライド式のものが知られている。このスライド式の六方切換弁は、スライド式主弁体を内蔵する弁本体（弁ハウジング）と電磁式のパイロット弁（四方パイロット弁）とを有し、弁ハウジングに、前記ポートｐＡ〜ｐＦが設けられるとともに、スライド式主弁体が左右方向に摺動可能に配在されている。弁ハウジングにおけるスライド式主弁体の左右には、パイロット弁を介して圧縮機吐出側及び圧縮機吸入側に接続される、それぞれスライド式主弁体に結合された左右一対のピストン型パッキンにより画成される二つの作動室が設けられ、この二つの作動室への高圧流体（冷媒）の導入・排出を前記パイロット弁で選択的に行い、この二つの作動室の圧力差を利用して前記スライド式主弁体を左右方向に摺動させることで前記流路切換を行うようにされている。
【先行技術文献】
【特許文献】
【０００８】
【特許文献１】特開平８−１７０８６４号公報
【発明の概要】
【発明が解決しようとする課題】
【０００９】
前記した如くの従来の流路切換弁においては、次のような解決すべき課題がある。
【００１０】
すなわち、特許文献１に所載のスライド式の六方切換弁では、左右一対のピストン型パッキンを伴うスライド式主弁体を摺動させて流路切換を行う構成であるので、スライド式主弁体のシール面の精度確保が難しく、初期漏れが多くなるという問題や、作動の繰り返しにより摺動部分が摩耗しやすく、それに伴い、摺動部分のシール性が悪くなる等、耐久劣化によって弁漏れ量が増加するおそれもある。
【００１１】
また、内容積が比較的小さな弁ハウジング内でスライド式主弁体を摺動させて流路切換を行う構成であるので、高低圧両方の流体（冷媒）の流路面積の確保が難しく、高低圧両方の流体（冷媒）において圧力損失が大きくなる嫌いがある。
【００１２】
加えて、摺動面積の大きいスライド式主弁体を左右一対のピストン型パッキンで移動させて流路切換を行う構成であるため、作動差圧が高くなるという問題もある。
【００１３】
上記に加えて、従来の流路切換弁、特に、前記したヒートポンプ式冷暖房システムに使用される流路切換弁では、弁ハウジング内において高温高圧の冷媒（ポートｐＡからポートｐＢ、ポートｐＡからポートｐＦへ流れる冷媒）と低温低圧の冷媒（ポートｐＣからポートｐＤ、ポートｐＥからポートｐＤへ流れる冷媒）とが近接した状態（スライド式主弁体の壁のみで仕切られた状態）で流されるので、それらの弁ハウジング内での熱交換量が大きくなって、システムの効率が悪くなるという問題もある。
【００１４】
本発明は、上記事情に鑑みてなされたもので、その目的とするところは、圧力損失や摺動部分の摩耗を効果的に抑えることができ、耐久性を向上させ得て、弁洩れし難くできるとともに、主弁体を移動させるための作動差圧も可及的に抑えることのできる六方切換弁を提供することにある。
【００１５】
また、本発明の他の目的とするところは、ヒートポンプ式冷暖房システム等の高温高圧の流体と低温低圧の流体が流される環境で使用される場合において、熱損失を低減し得てヒートポンプ式冷暖房システムの効率を向上させることのできる六方切換弁を提供することにある。
【課題を解決するための手段】
【００１６】
前記の目的を達成すべく、本発明に係る六方切換弁は、基本的には、それぞれに３個のポートが設けられた第１及び第２流路切換弁と、前記第１及び第２流路切換弁間を連通せしめる第１及び第２連通路とを備え、前記第１及び第２流路切換弁に合計で６個設けられたポート間の連通状態が切り換えられるようにされており、前記第１流路切換弁は、第１主弁室を画成する筒状の第１主弁ハウジングを有し、前記第１主弁室には、第１、第２、第３ポートが開口せしめられ、第１ポートと第２ポートの間に第１上部弁座が設けられ、第２ポートと第３ポートの間に第１下部弁座が設けられ、前記第１上部弁座と前記第１下部弁座に選択的に接離するポペット式の第１主弁体が軸線方向に移動自在に配在されるとともに、前記第１主弁体を移動させるための第１アクチュエータ部が備えられ、前記第２流路切換弁は、第２主弁室を画成する筒状の第２主弁ハウジングを有し、前記第２主弁室には、第４、第５、第６ポートが開口せしめられ、第４ポートと第５ポートの間に第２上部弁座が設けられ、第５ポートと第６ポートの間に第２下部弁座が設けられ、前記第２上部弁座と前記第２下部弁座に選択的に接離するポペット式の第２主弁体が軸線方向に移動自在に配在されるとともに、前記第２主弁体を移動させるための第２アクチュエータ部が備えられ、前記第１及び第２アクチュエータ部によって、前記第１及び第２流路切換弁において、前記第１及び第２主弁室内で前記第１及び第２主弁体を連動して移動させることにより、前記第１流路切換弁において第２ポートと第３ポートとが連通せしめられ、前記第２流路切換弁において第５ポートと第６ポートとが連通せしめられるとともに、前記第１流路切換弁における第１ポートと前記第２流路切換弁における第４ポートとが、その間に設けられた前記第１連通路であって前記第２流路切換弁における第４ポートから前記第１流路切換弁における第１ポートに向かう方向にのみ流体を流す第１逆止弁が設けられた前記第１連通路を介して連通せしめられる第１連通状態と、前記第１流路切換弁において第１ポートと第２ポートとが連通せしめられ、前記第２流路切換弁において第４ポートと第５ポートとが連通せしめられるとともに、前記第１流路切換弁における第３ポートと前記第２流路切換弁における第６ポートとが、その間に設けられた前記第２連通路であって前記第２流路切換弁における第６ポートから前記第１流路切換弁における第３ポートに向かう方向にのみ流体を流す第２逆止弁が設けられた前記第２連通路を介して連通せしめられる第２連通状態と、をとり得るようにされていることを特徴としている。
【００１７】
好ましい態様では、前記第１及び第２アクチュエータ部は、前記第１及び第２主弁室の一端側に設けられた、高圧流体が選択的に導入・排出される容量可変の第１及び第２作動室、並びに、前記第１及び第２作動室を画成するとともに前記第１及び第２主弁体が連結された第１及び第２ピストンを含んで構成される。
【００１８】
他の好ましい態様では、前記第１流路切換弁における第１ポート、前記第２流路切換弁における第４ポート、及び、前記第１連通路が同一軸線上に配置され、前記第１流路切換弁における第３ポート、前記第２流路切換弁における第６ポート、及び、前記第２連通路が同一軸線上に配置される。
【００１９】
別の好ましい態様では、前記第１及び第２流路切換弁が軸線方向を同じ方向に向けて横並びで配在されるとともに、前記第１及び第２流路切換弁における前記第１及び第２作動室が同じ側に配置される。
【００２０】
更に好ましい態様では、前記第１及び第２流路切換弁における前記第１及び第２主弁体を同じ方向に移動させることにより、前記第１連通状態と前記第２連通状態とが切り換えられるようにされる。
【００２１】
別の好ましい態様では、前記第１及び第２作動室には、前記第１及び第２流路切換弁の前記第１及び第２主弁室に供給される高圧流体が導入されるようにされる。
【００２２】
更に好ましい態様では、前記第１及び第２作動室への高圧冷媒の導入・排出の制御を、前記第１及び第２流路切換弁の前記第１及び第２作動室に設けられたポート、並びに、前記六方切換弁の高圧部分と低圧部分とに接続された単一の三方パイロット弁により行うようにされる。
【発明の効果】
【００２３】
本発明に係る六方切換弁では、各々の流路切換弁において、筒状の主弁ハウジングにより画成される主弁室内でポペット式の主弁体を連動して移動させることにより、連通するポート間（２つの流路切換弁に合計で６個設けられたポート間の連通状態、流路）が切り換えられるようにされているので、従来のスライド式主弁体を使用した六方切換弁と比べて、弁漏れを抑えられるとともに、流路面積を比較的大きくできて、圧力損失を低減できる。また、各々の流路切換弁に、主弁体を移動させるためのアクチュエータ部（ピストン等）が備えられているので、作動差圧の上昇を抑えることもできる。
【００２４】
上記に加えて、本発明に係る六方切換弁をヒートポンプ式冷暖房システム等の、高温高圧の冷媒と低温低圧の冷媒が流される環境で使用する場合、各々の流路切換弁はその間に設けられた連通路によって比較的大きく離されて設けられているので、高温高圧の冷媒と低温低圧の冷媒とが近接した状態（スライド式主弁体の壁のみで仕切られた状態）で流される従来のものに比べて、主弁ハウジング内での熱交換量を大幅に低減でき、そのため、システムの効率を向上できるという効果も得られる。
【００２５】
また、本発明に係る六方切換弁では、２つの流路切換弁（三方切換弁）とともに、２つの逆止弁を用いて、連通するポート間を切り換えるようにしたので、例えば、３つの三方切換弁を用いたものと比べて、六方切換弁全体のコストを低減できるという効果もある。
【００２６】
また、本発明に係る六方切換弁では、各々の流路切換弁において、（ピストンの）一端側に設けられた作動室にのみ高圧流体（作動圧）を導入して、主弁体を移動させるようにされているので、六方切換弁全体の構成を簡素化できるという効果もある。
【００２７】
上記した以外の、課題、構成、及び作用効果は、以下の実施形態により明らかにされる。
【図面の簡単な説明】
【００２８】
【図１】本発明に係る六方切換弁の一実施形態を示す図であり、（Ａ）は正面図、（Ｂ）は平面図、（Ｃ）は左側面図。
【図２】図１に示される六方切換弁の第１連通状態（暖房運転時）を示す縦断面図。
【図３】図１に示される六方切換弁の第２連通状態（冷房運転時）を示す縦断面図。
【図４】図１に示される六方切換弁の三方パイロット弁を拡大して示す図であり、（Ａ）は第１連通状態（暖房運転時）（通電ＯＦＦ時）、（Ｂ）は第２連通状態（冷房運転時）（通電ＯＮ時）をそれぞれ示す縦断面図。
【図５】流路切換弁として六方切換弁が使用されたヒートポンプ式冷暖房システムの一例における、（Ａ）は冷房運転時、（Ｂ）は暖房運転時をそれぞれ示す概略構成図。
【発明を実施するための形態】
【００２９】
以下、本発明の実施形態を図面を参照しながら説明する。
【００３０】
図１は、本発明に係る六方切換弁の一実施形態を示す図であり、図１（Ａ）は正面図、図１（Ｂ）は平面図、図１（Ｃ）は左側面図である。また、図２は、図１に示される六方切換弁の第１連通状態（暖房運転時）を示す縦断面図、図３は、図１に示される六方切換弁の第２連通状態（冷房運転時）を示す縦断面図である。
【００３１】
なお、本明細書において、上下、左右、前後等の位置、方向を表わす記述は、説明が煩瑣になるのを避けるために図面に従って便宜上付けたものであり、実際にヒートポンプ式冷暖房システム等に組み込まれた状態での位置、方向を指すとは限らない。
【００３２】
また、各図において、部材間に形成される隙間や部材間の離隔距離等は、発明の理解を容易にするため、また、作図上の便宜を図るため、各構成部材の寸法に比べて大きくあるいは小さく描かれている場合がある。
【００３３】
図示実施形態の六方切換弁１は、例えば前述した図５に示されるヒートポンプ式冷暖房システム１００における六方切換弁１８０として用いられるもので、基本的に、２つの流路切換弁（三方切換弁）１０、２０を組み合わせて構成した六方弁本体９と、パイロット弁としての単一の電磁式三方パイロット弁９０とを備える。なお、本実施形態の六方切換弁１に備えられている６個のポートは、上記六方切換弁１８０の各ポートｐＡ〜ｐＦに対応させて同一の符号が付されている。
【００３４】
＜六方弁本体９の構成＞
六方弁本体９は、主に、それぞれに３個（合計で６個）のポートが設けられた２つのシリンダ型の流路切換弁１０、２０と、その２つの流路切換弁間を連通せしめる２つの連通路４０、５０とを備えている。
【００３５】
２つの流路切換弁１０、２０は、所定の距離をあけて横並びで垂設（軸線Ｏ１、Ｏ２方向を上下方向に向けて縦置きで配設）されている。
【００３６】
また、各連通路４０、５０は、アルミあるいはステンレス等の金属製の管体で構成されており、図１（Ａ）を参照すればよく分かるように、流路切換弁１０の中央やや上側の部分（ポートｐＢと同じ高さで当該ポートｐＢと対向する部分）と流路切換弁２０の中央やや上側の部分（ポートｐＣと同じ高さで当該ポートｐＣと対向する部分）とが、横方向に延びる連通路４０で溶接等により接続され、流路切換弁１０の下部（ポートｐＦと同じ高さで当該ポートｐＦと対向する部分）と流路切換弁２０の下部（ポートｐＥと同じ高さで当該ポートｐＥと対向する部分）とが、横方向に延びる連通路５０で溶接等により接続されている。
【００３７】
［流路切換弁１０の構成］
前記六方弁本体９の左側に配置された流路切換弁（第１流路切換弁）１０は、図２及び図３を参照すればよく分かるように、アルミあるいはステンレス等の金属製とされた円筒状の主弁ハウジング１１を有し、この主弁ハウジング１１に、一端側（上端側）から順次、高圧流体（冷媒）が選択的に導入・排出される容量可変の作動室１２、この作動室１２を画成するピストン１３、主弁室１４が配在されている。断面凹状のピストン１３の外周（に設けられた環状溝）には、ピストン１３（の外周面）と主弁ハウジング１１（の内周面）との摺動面隙間を封止すべく（言い換えれば、主弁ハウジング１１を気密的に仕切るべく）、シール部材としてのＯリング１３Ａが装着されている。
【００３８】
主弁ハウジング１１の一端側開口（上端側開口）を気密的に封止するように、かしめ、溶接等により傘状の一端蓋部材１１Ａが固着され、その一端蓋部材１１Ａには、作動室１２に高圧流体（冷媒）を導入・排出するためのポートｐ１０が取り付けられている。
【００３９】
また、主弁ハウジング１１の他端側開口（下端側開口）を気密的に封止するように、かしめ、溶接等により短円柱状の他端蓋部材１１Ｂが固着されるとともに、その他端蓋部材１１Ｂ（の内面）の中央には、軸線（中心線）Ｏ１方向に沿って、段付きのガイド軸１９が固定されている。
【００４０】
このガイド軸１９は、下側から、比較的短い下部大径部１９Ａ、中間中径部１９Ｂ、比較的長い上部小径部１９Ｃを有し、その下部大径部１９Ａがかしめ等により他端蓋部材１１Ｂに固定されるとともに、その上部小径部１９Ｃは、後述する主弁体１５に設けられた中央嵌挿穴１５ｂ（の下半部分）に摺動自在に内嵌されている。また、このガイド軸１９には、その中央を貫通するように縦孔（縦向きの貫通孔）１９ａが形成されるとともに、その中間中径部１９Ｂには、主弁室１４（詳細には、後述する主弁室１４における下部弁座１７より他端側）に開口する複数個の横孔１９ｂが形成されている。
【００４１】
前記主弁室１４には、左方に向けて延びる管継手からなる３個のポート（一端側（上端側）から、第１ポートｐＢ、第２ポートｐＡ、第３ポートｐＦ）が縦並びで開口せしめられ、主弁室１４におけるポートｐＢとポートｐＡの間に、その内端下部が弁シート部とされた上部弁座１６が設けられ、主弁室１４におけるポートｐＡとポートｐＦの間に、その内端上部が弁シート部とされた下部弁座１７が設けられている。上部弁座１６及び下部弁座１７は、主弁ハウジング１１の内周から内側に向けて突設されて形成されており、その上部弁座１６及び下部弁座１７により画成される上部弁口及び下部弁口の口径（弁シート部の内径）は、主弁ハウジング１１の内径（つまり、作動室１２やピストン１３の外径）より小さくされている。
【００４２】
そして、主弁室１４における前記上部弁座１６より一端側（上端側）（ここでは、上部弁座１６の直上）には、前記ポートｐＢに対向するように、前記連通路４０（流路切換弁２０の主弁室２４の上部弁座２６より一端側に連通する連通路４０）が横向きに連通せしめられ、前記下部弁座１７より他端側（下端側）（ここでは、下部弁座１７の直下）には、前記ポートｐＦに対向するように、前記連通路５０（流路切換弁２０の主弁室２４の下部弁座２７より他端側に連通する連通路５０）が横向きに連通せしめられている。
【００４３】
また、前記主弁室１４における上部弁座１６と下部弁座１７との間には、外周が窪んだ形状に形成されたポペット式の主弁体１５が（主弁ハウジング１１の内周と所定の間隔をあけて）軸線Ｏ１方向（上下方向）に移動自在に配在されている。
【００４４】
前記主弁体１５は、上部弁座１６と下部弁座１７に選択的に接離するようになっており、図２に示される如くの、その上面外周部分が上部弁座１６（の弁シート部）に着座して、ポートｐＡとポートｐＦとを（下部弁座１７の下部弁口を介して）連通させ且つポートｐＢと連通路４０とを連通させる一端（上端）位置（暖房位置）と、図３に示される如くの、その下面外周部分が下部弁座１７（の弁シート部）に着座して、ポートｐＡとポートｐＢとを（上部弁座１６の上部弁口を介して）連通させ且つポートｐＦと連通路５０とを連通させる他端（下端）位置（冷房位置）とを選択的にとり得るようにされている。
【００４５】
なお、主弁体１５が一端位置（暖房位置）にあるときには、ポートｐＡとポートｐＦは連通路５０とも連通しているが、この各ポートｐＡ、ｐＦと流路切換弁２０に設けられた各ポート（ポートｐＥ、ポートｐＤ）間は、連通路５０に配在された逆止弁５５により連通しない（連通状態が遮断される）ようになっている。また、主弁体１５が他端位置（冷房位置）にあるときには、ポートｐＡとポートｐＢは連通路４０とも連通しているが、この各ポートｐＡ、ｐＢと流路切換弁２０に設けられた各ポート（ポートｐＣ、ポートｐＤ）間は、連通路４０に配在された逆止弁４５により連通しない（連通状態が遮断される）ようになっている（後で詳述）。
【００４６】
主弁体１５は、移動時以外は上部弁座１６又は下部弁座１７に対接せしめられ、このときは主弁室１４に導入された高圧の冷媒により押圧されて上部弁座１６又は下部弁座１７の弁シート部に圧接せしめられている。
【００４７】
ピストン１３の下面中央には、軸線Ｏ１方向に沿って、連結軸１８が一体的に延設されている。この連結軸１８の（他端側）先端部は、若干小径とされるとともに、その外周に雄ねじが形成されている（雄ねじ部１８ａ）。一方、主弁体１５には、その中央を貫通するように段付きの中央嵌挿穴１５ｂが形成されており、その一部が縮径されるとともに、その内周に雌ねじが形成されている（雌ねじ部１５ａ）。連結軸１８の先端部（雄ねじ部１８ａ）が主弁体１５の中央嵌挿穴１５ｂ（の上半部分）に挿入され、その連結軸１８に設けられた雄ねじと主弁体１５に設けられた雌ねじとが螺着されることにより、連結軸１８と主弁体１５とが一体に連結され、これにより、主弁体１５は、ピストン１３の往復移動に伴って前記連結軸１８に押し引きされて一端位置（暖房位置）と他端位置（冷房位置）との間を行き来するようにされている。
【００４８】
すなわち、本実施形態における流路切換弁１０では、作動室１２と連結軸１８を有するピストン１３とで、主弁体１５を軸線Ｏ１方向（上下方向）に移動させる、流体圧式（詳細には、システム内の高圧冷媒と低圧冷媒の差圧を利用する流体圧式）のアクチュエータ部が構成されている。
【００４９】
なお、主弁体１５の中央嵌挿穴１５ｂの下半部分には、前記したガイド軸１９の上部小径部１９Ｃが摺動自在に内嵌され、これにより、主弁体１５が、軸線Ｏ１方向に沿うように（言い換えれば、軸線Ｏ１方向に対する主弁体１５の傾きや位置ずれが生じないように）ガイドされて、ピストン１３の往復移動に連動して上下動するようになっている。
【００５０】
［流路切換弁２０の構成］
前記六方弁本体９の右側に配置された流路切換弁（第２流路切換弁）２０の基本構成は、前記した流路切換弁１０とほぼ同様であるため、同じ機能及び作用を有する部分には同様の符号（流路切換弁１０の各部の符号に対して１０を足した符号）を付して重複説明を省略する。
【００５１】
この流路切換弁２０において、主弁室２４には、右方に向けて延びる管継手からなる３個のポート（一端側（上端側）から、第４ポートｐＣ、第５ポートｐＤ、第６ポートｐＥ）が縦並びで開口せしめられ、主弁室２４におけるポートｐＣとポートｐＤの間に、その内端下部が弁シート部とされた上部弁座２６が設けられ、主弁室２４におけるポートｐＤとポートｐＥの間に、その内端上部が弁シート部とされた下部弁座２７が設けられている。
【００５２】
そして、主弁室２４における前記上部弁座２６より一端側（上端側）（ここでは、上部弁座２６の直上）には、前記ポートｐＣに対向するように、前記連通路４０（流路切換弁１０の主弁室１４の上部弁座１６より一端側に連通する連通路４０）が横向きに連通せしめられ、前記下部弁座２７より他端側（下端側）（ここでは、下部弁座２７の直下）には、前記ポートｐＥに対向するように、前記連通路５０（流路切換弁１０の主弁室１４の下部弁座１７より他端側に連通する連通路５０）が横向きに連通せしめられている。
【００５３】
すなわち、本例では、流路切換弁１０に設けられたポートｐＢ、連通路４０、及び、流路切換弁２０に設けられたポートｐＣが、左右方向に延びる同一軸線Ｏ４上に配置され、流路切換弁１０に設けられたポートｐＦ、連通路５０、及び、流路切換弁２０に設けられたポートｐＥが、左右方向に延びる同一軸線Ｏ５上に配置されている。
【００５４】
軸線Ｏ２方向（上下方向）に移動自在に配在されたポペット式の主弁体２５は、上部弁座２６と下部弁座２７に選択的に接離するようになっており、図２に示される如くの、その上面外周部分が上部弁座２６（の弁シート部）に着座して、ポートｐＥとポートｐＤとを（下部弁座２７の下部弁口を介して）連通させ且つポートｐＣと連通路４０とを連通させる一端（上端）位置（暖房位置）と、図３に示される如くの、その下面外周部分が下部弁座２７（の弁シート部）に着座して、ポートｐＣとポートｐＤとを（上部弁座２６の上部弁口を介して）連通させ且つポートｐＥと連通路５０とを連通させる他端（下端）位置（冷房位置）とを選択的にとり得るようにされている。
【００５５】
なお、主弁体２５が一端位置（暖房位置）にあるときには、ポートｐＥとポートｐＤは連通路５０とも連通しているが、この各ポートｐＥ、ｐＤと流路切換弁１０に設けられた各ポート（ポートｐＡ、ポートｐＦ）間は、連通路５０に配在された逆止弁５５により連通しない（連通状態が遮断される）ようになっている。また、主弁体２５が他端位置（冷房位置）にあるときには、ポートｐＣとポートｐＤは連通路４０とも連通しているが、この各ポートｐＣ、ｐＤと流路切換弁１０に設けられた各ポート（ポートｐＡ、ポートｐＢ）間は、連通路４０に配在された逆止弁４５により連通しない（連通状態が遮断される）ようになっている（後で詳述）。
【００５６】
主弁体２５は、移動時以外は上部弁座２６又は下部弁座２７に対接せしめられ、このときは主弁室２４に導入された高圧の冷媒により押圧されて上部弁座２６又は下部弁座２７の弁シート部に圧接せしめられている。
【００５７】
［連通路４０、５０内に設けられた逆止弁４５、５５の構成］
前記した２つの流路切換弁１０、２０を接続する連通路４０、５０（第１連通路４０、第２連通路５０）はそれぞれ、その中央付近に、逆止弁４５、５５（第１逆止弁４５、第２逆止弁５５）が配在される大径収容部４４、５４を有し、その大径収容部４４、５４の（左右）両側が、前記流路切換弁１０に接続される左側絞り接続部４１、５１、前記流路切換弁２０に接続される右側絞り接続部４２、５２とされている。
【００５８】
連通路４０（の大径収容部４４）に収容された逆止弁４５と連通路５０（の大径収容部５４）に収容された逆止弁５５とは、その構成自体はほぼ同じであるため、以下では、連通路４０（の大径収容部４４）に収容された逆止弁４５を代表して説明する。なお、連通路５０（の大径収容部５４）に収容された逆止弁５５には、逆止弁４５と同じ機能及び作用を有する部分に同様の符号（逆止弁４５の各部の符号に対して１０を足した符号）を付している。
【００５９】
前記逆止弁４５は、流路切換弁２０（におけるポートｐＣ）から流路切換弁１０（におけるポートｐＢ）に向かう方向にのみ流体を流すもので、基本的に、大径収容部４４に内嵌される円筒体からなる弁体ホルダ４６と、弁体ホルダ４６の右端側に設けられた短円筒状の弁座部材４７と、前記弁座部材４７に設けられた弁口を開閉すべく、前記弁体ホルダ４６に摺動自在に配在される逆止弁体４８とを有している。
【００６０】
弁体ホルダ４６の右端部は、弁座部材４７の鍔状部（外周段丘部）に溶接等により密封接合されるとともに、弁座部材４７の外周（に設けられた環状溝）には、シール部材としてのＯリング４７Ａが装着されている。また、弁体ホルダ４６の左端部には、逆止弁体４８の左方への移動を阻止するストッパとされる鍔状係止部４６ａが内側へ向けて突設されている。
【００６１】
また、逆止弁体４８は、弁座部材４７に接離して前記弁座部材４７に設けられた弁口を開閉する円錐台状の弁体部４８ａを持ち、弁体ホルダ４６（の内径）より若干小径に形成された略円板状の受圧部４８Ａと、放射状に形成された複数（図示例では、等角度間隔で４枚）の羽根部４８ｂからなり、各羽根部４８ｂの外周部分が弁体ホルダ４６（の内周）に摺接する摺動部４８Ｂとで構成されている。
【００６２】
前記した如くの構成の逆止弁４５では、流路切換弁２０から流路切換弁１０へ流体が流される場合（言い換えれば、流路切換弁２０の主弁室２４内の流体圧が流路切換弁１０の主弁室１４内の流体圧より高い場合）、流路切換弁２０から連通路４０に流入した流体が逆止弁体４８の受圧部４８Ａに衝突して当該逆止弁体４８が（その左端が鍔状係止部４６ａに当接するまで）左方に移動せしめられる。そのため、逆止弁体４８の弁体部４８ａが弁座部材４７から離れて弁口が開かれ、弁座部材４７の弁口を通過した流体は、逆止弁体４８の受圧部４８Ａと弁体ホルダ４６の間の隙間→逆止弁体４８の摺動部４８Ｂの各羽根部４８ｂの間の空間→弁体ホルダ４６の鍔状係止部４６ａ（の内端）により画成される開口４６ｂを介して、流路切換弁１０へ流される。
【００６３】
一方で、流路切換弁１０から流路切換弁２０へ流体が流される場合（言い換えれば、流路切換弁１０の主弁室１４内の流体圧が流路切換弁２０の主弁室２４内の流体圧より高い場合）には、流路切換弁１０から連通路４０に流入した流体が（弁体ホルダ４６の鍔状係止部４６ａ（の内端）により画成される開口４６ｂ、逆止弁体４８の摺動部４８Ｂの各羽根部４８ｂの間の空間を介して）逆止弁体４８の受圧部４８Ａに衝突して当該逆止弁体４８が右方に移動せしめられる。そのため、逆止弁体４８の弁体部４８ａが弁座部材４７に着座して弁口が閉じられ、流路切換弁２０への流入が阻止される。
【００６４】
つまり、前記逆止弁４５における逆止弁体４８は、流路切換弁１０（の主弁室１４）と流路切換弁２０（の主弁室２４）の圧力差に応じて、連通路４０を介した流路切換弁２０から流路切換弁１０に向かう方向の流体の流入を許容する左端位置と、連通路４０を介した流路切換弁１０から流路切換弁２０に向かう方向の流体の流入を阻止する右端位置とを選択的にとり得るようにされている。
【００６５】
なお、逆止弁５５においても、前記逆止弁４５と同様に、流路切換弁２０（におけるポートｐＥ）から流路切換弁１０（におけるポートｐＦ）に向かう方向にのみ流体を流すようになっており、前記逆止弁５５における逆止弁体５８は、流路切換弁１０（の主弁室１４）と流路切換弁２０（の主弁室２４）の圧力差に応じて、連通路４０を介した流路切換弁２０から流路切換弁１０に向かう方向の流体の流入を許容する左端位置と、連通路４０を介した流路切換弁１０から流路切換弁２０に向かう方向の流体の流入を阻止する右端位置とを選択的にとり得るようにされている。
【００６６】
前記した２つの流路切換弁１０、２０の主弁体１５、２５が暖房位置（流路切換弁１０の主弁体１５と流路切換弁２０の主弁体２５がともに一端（上端）位置）（図２に示される如くの第１連通状態）にあるとき、主弁室１４における主弁体１５より上側の空間はポートｐＢに連通し、主弁室２４における主弁体２５より上側の空間はポートｐＣに連通するので、主弁室２４における主弁体２５より上側の圧力が主弁室１４における主弁体１５より上側の圧力より高くなる。また、主弁室１４における主弁体１５より下側の空間はポートｐＡ（及びポートｐＦ）に連通し、主弁室２４における主弁体２５より下側の空間はポートｐＤ（及びポートｐＥ）に連通するので、主弁室１４における主弁体１５より下側の圧力が主弁室２４における主弁体２５より下側の圧力より高くなる。
【００６７】
そのため、前記連通路４０に設けられた逆止弁４５の逆止弁体４８は、前記左端位置（暖房位置）がとられ、前記連通路５０に設けられた逆止弁５５の逆止弁体５８は、前記右端位置（暖房位置）がとられる。
【００６８】
一方、前記した２つの流路切換弁１０、２０の主弁体１５、２５が冷房位置（流路切換弁１０の主弁体１５と流路切換弁２０の主弁体２５がともに他端（下端）位置）（図３に示される如くの第２連通状態）にあるとき、主弁室１４における主弁体１５より上側の空間はポートｐＡ（及びポートｐＢ）に連通し、主弁室２４における主弁体２５より上側の空間はポートｐＤ（及びポートｐＣ）に連通するので、主弁室１４における主弁体１５より上側の圧力が主弁室２４における主弁体２５より上側の圧力より高くなる。また、主弁室１４における主弁体１５より下側の空間はポートｐＦに連通し、主弁室２４における主弁体２５より下側の空間はポートｐＥに連通するので、主弁室２４における主弁体２５より下側の圧力が主弁室１４における主弁体１５より下側の圧力より高くなる。
【００６９】
そのため、前記連通路４０に設けられた逆止弁４５の逆止弁体４８は、前記右端位置（冷房位置）がとられ、前記連通路５０に設けられた逆止弁５５の逆止弁体５８は、前記左端位置（冷房位置）がとられる。
【００７０】
なお、本例では、各々の流路切換弁１０、２０に設けられた各ポートｐＡ〜ｐＦの口径、及び、各々の連通路４０、５０（の左側絞り接続部４１、５１及び右側絞り接続部４２、５２）の通路径は、略同径に設定されている。
【００７１】
＜六方弁本体９の動作＞
次に、上記した如くの構成を有する六方弁本体９の動作を説明する。
【００７２】
各々の流路切換弁１０、２０の主弁体１５、２５、並びに、各々の逆止弁４５、５５の逆止弁体４８、５８が暖房位置（流路切換弁１０の主弁体１５と流路切換弁２０の主弁体２５がともに一端（上端）位置、逆止弁４５の逆止弁体４８が左端位置、逆止弁５５の逆止弁体５８が右端位置）（図２に示される如くの第１連通状態）にあるときにおいて、後述する三方パイロット弁９０を介して、作動室１２及び作動室２２をともに吐出側高圧ポートであるポートｐＡに連通させると、作動室１２及び作動室２２に高温高圧の冷媒が導入される。そのため、作動室１２の圧力が主弁室１４の圧力より高くなり、ピストン１３及び主弁体１５が（ガイド軸１９にガイドされながら）下方に移動し、主弁体１５（の上面外周部分）が上部弁座１６（の弁シート部）から離れて上部弁口が開かれるとともに、主弁体１５（の下面外周部分）が下部弁座１７（の弁シート部）に着座して接当係止される。また、同様に、作動室２２の圧力が主弁室２４の圧力より高くなり、ピストン２３及び主弁体２５が（ガイド軸２９にガイドされながら）下方に移動し、主弁体２５（の上面外周部分）が上部弁座２６（の弁シート部）から離れて上部弁口が開かれるとともに、主弁体２５（の下面外周部分）が下部弁座２７（の弁シート部）に着座して接当係止される。それに伴って、主弁室１４における主弁体１５より上側の圧力が主弁室２４における主弁体２５より上側の圧力より高くなり、連通路４０に設けられた逆止弁４５の逆止弁体４８が右方に移動して弁座部材４７に着座して接当係止される。また、主弁室２４における主弁体２５より下側の圧力が主弁室１４における主弁体１５より下側の圧力より高くなり、連通路５０に設けられた逆止弁５５の逆止弁体５８が左方に移動し、弁座部材５７から離れて弁口が開かれるとともに、逆止弁体５８が弁体ホルダ５６の鍔状係止部５６ａに接当係止される。これにより、各々の流路切換弁１０、２０の主弁体１５、２５、並びに、各々の逆止弁４５、５５の逆止弁体４８、５８が冷房位置（流路切換弁１０の主弁体１５と流路切換弁２０の主弁体２５がともに他端（下端）位置、逆止弁４５の逆止弁体４８が右端位置、逆止弁５５の逆止弁体５８が左端位置）（図３に示される如くの第２連通状態）をとる。
【００７３】
これにより、流路切換弁１０においてポートｐＡとポートｐＢとが連通せしめられ、流路切換弁２０においてポートｐＣとポートｐＤとが連通せしめられ、流路切換弁２０におけるポートｐＥと流路切換弁１０におけるポートｐＦとがその間に設けられた連通路５０（逆止弁５５が開弁状態とされた連通路５０）を介して連通せしめられるので、図５に示される如くのヒートポンプ式冷暖房システム１００において、冷房運転が行われる。
【００７４】
各々の流路切換弁１０、２０の主弁体１５、２５、並びに、各々の逆止弁４５、５５の逆止弁体４８、５８が冷房位置（図３に示される如くの第２連通状態）にあるときにおいて、後述する三方パイロット弁９０を介して、作動室１２及び作動室２２をともに吸入側低圧ポートであるポートｐＤに連通させると、作動室１２及び作動室２２から高温高圧の冷媒が排出される。そのため、作動室１２の圧力が主弁室１４の圧力より低くなり、ピストン１３及び主弁体１５が（ガイド軸１９にガイドされながら）上方に移動し、主弁体１５（の下面外周部分）が下部弁座１７（の弁シート部）から離れて下部弁口が開かれるとともに、主弁体１５（の上面外周部分）が上部弁座１６（の弁シート部）に着座して接当係止される。また、同様に、作動室２２の圧力が主弁室２４の圧力より低くなり、ピストン２３及び主弁体２５が（ガイド軸２９にガイドされながら）上方に移動し、主弁体２５（の下面外周部分）が下部弁座２７（の弁シート部）から離れて下部弁口が開かれるとともに、主弁体２５（の上面外周部分）が上部弁座２６（の弁シート部）に着座して接当係止される。それに伴って、主弁室２４における主弁体２５より上側の圧力が主弁室１４における主弁体１５より上側の圧力より高くなり、連通路４０に設けられた逆止弁４５の逆止弁体４８が左方に移動し、弁座部材４７から離れて弁口が開かれるとともに、逆止弁体４８が弁体ホルダ４６の鍔状係止部４６ａに接当係止される。また、主弁室１４における主弁体１５より下側の圧力が主弁室２４における主弁体２５より下側の圧力より高くなり、連通路５０に設けられた逆止弁５５の逆止弁体５８が右方に移動して弁座部材５７に着座して接当係止される。これにより、各々の流路切換弁１０、２０の主弁体１５、２５、並びに、各々の逆止弁４５、５５の逆止弁体４８、５８が暖房位置（流路切換弁１０の主弁体１５と流路切換弁２０の主弁体２５がともに一端（上端）位置、逆止弁４５の逆止弁体４８が左端位置、逆止弁５５の逆止弁体５８が右端位置）（図２に示される如くの第１連通状態）をとる。
【００７５】
これにより、流路切換弁１０においてポートｐＡとポートｐＦとが連通せしめられ、流路切換弁２０においてポートｐＥとポートｐＤとが連通せしめられ、流路切換弁２０におけるポートｐＣと流路切換弁１０におけるポートｐＢとがその間に設けられた連通路４０（逆止弁４５が開弁状態とされた連通路４０）を介して連通せしめられるので、図５に示される如くのヒートポンプ式冷暖房システム１００において、暖房運転が行われる。
【００７６】
ここで、本実施形態では、流路切換弁１０における主弁体１５の外径（シート径）が、主弁ハウジング１１の内径（つまり、ピストン１３の受圧径）より小さくされ、流路切換弁２０における主弁体２５の外径（シート径）が、主弁ハウジング２１の内径（つまり、ピストン２３の受圧径）より小さくされているので、前記した流路切換に当たり（つまり、暖房運転から冷房運転に切り換える際、及び、冷房運転から暖房運転に切り換える際に）、簡単な構成でもって、各々の流路切換弁１０、２０の主弁体１５、２５を確実に移動させられるようになっている。
【００７７】
＜三方パイロット弁９０の構成＞
パイロット弁としての三方パイロット弁９０は、その構造自体はよく知られているもので、図４に拡大図示されている如くに、基端側（上端側）外周に電磁コイル９１が外嵌固定された円筒状のストレートパイプからなる弁ケース９２を有し、該弁ケース９２に、基端側から順次、吸引子９５、圧縮コイルばね９６、プランジャ９７が直列的に配在されている。
【００７８】
弁ケース９２の上端部は、吸引子９５の鍔状部（外周段丘部）に溶接等により密封接合されており、吸引子９５は、通電励磁用の電磁コイル９１の外周を覆うカバーケース９１Ａにボルト９２Ｂにより締結固定されている。
【００７９】
一方、弁ケース９２の下端開口部には、高圧冷媒を導入するための細管挿着口（高圧導入ポートａ）を有するフィルタ付き蓋部材９８が溶接、ろう付け、かしめ等により気密的に取着されており、蓋部材９８とプランジャ９７と弁ケース９２とで囲まれる領域が弁室９９となっている。弁室９９には、蓋部材９８の細管挿着口（高圧導入ポートａ）に気密的に挿着された可撓性を有する高圧細管＃ａを介して前記ポート（吐出側高圧ポート）ｐＡから高温高圧の冷媒が導入されるようになっている。
【００８０】
また、弁ケース９２におけるプランジャ９７と蓋部材９８との間には、その内端面が平坦な弁シート面とされた弁座９３がろう付け等により気密的に接合されており、この弁座９３の弁シート面（内端面）には、先端側（下端側）から順次、前記した六方弁本体９の流路切換弁１０の作動室１２及び流路切換弁２０の作動室２２に細管＃ｂを介して接続されるポートｂ、ポート（吸入側低圧ポート）ｐＤに細管＃ｃを介して接続されるポートｃが弁ケース９２の長手方向（上下方向）に沿って所定間隔をあけて縦並びに開口せしめられている。
【００８１】
吸引子９５に対向配置されたプランジャ９７は、基本的には円柱状とされ、弁ケース９２内を軸方向（弁ケース９２の中心線Ｌに沿う方向）に摺動自在に配在されている。そのプランジャ９７の吸引子９５側とは反対側の端部には、弁体９４をその自由端側で厚み方向に摺動可能に保持する弁体ホルダ９４Ａがその基端部を取付具９４Ｂと共に圧入、かしめ等により取付固定されている。この弁体ホルダ９４Ａには、弁体９４を弁座９３に押し付ける方向（厚み方向）に付勢する板ばね９４Ｃが取り付けられている。弁体９４は、弁座９３の弁シート面に開口するポートｂ、ｃ間の連通状態を切り換えるべく、当該弁座９３の弁シート面に対接せしめられた状態で、弁座９３の弁シート面をプランジャ９７の上下動に伴って摺動するようになっている。
【００８２】
また、弁体９４には、弁座９３の弁シート面に開口する２個のポートｂ−ｃ間を連通させ得るような大きさの凹部９４ａが設けられている。
【００８３】
また、圧縮コイルばね９６は、吸引子９５とプランジャ９７との間に縮装されてプランジャ９７を吸引子９５から引き離す方向（図では、下方）に付勢するようになっているが、本例では、弁座９３（の上端部）が、プランジャ９７の下方への移動を阻止するストッパとされている。なお、このストッパの構成としては、その他の構成を採用し得ることは言うまでも無い。
【００８４】
なお、上記三方パイロット弁９０は、取付具９２Ａを介して六方弁本体９の背面側等（図示例では、流路切換弁１０の背面側）に取付けられる。
【００８５】
＜三方パイロット弁９０の動作＞
上記した如くの構成とされた三方パイロット弁９０においては、電磁コイル９１への通電ＯＦＦ時には、図２及び図４（Ａ）に示される如くに、プランジャ９７は圧縮コイルばね９６の付勢力により、その下端が弁座９３に接当する位置まで押し下げられている。この状態では、弁体９４がポートｂとポートｃ上に位置し、その凹部９４ａによりポートｂとポートｃが連通するので、作動室１２及び作動室２２の高圧流体がポートｐ１０及びポートｐ２０→細管＃ｂ→ポートｂ→凹部９４ａ→ポートｃ→細管＃ｃ→ポート（吸入側低圧ポート）ｐＤへと流れて排出される。
【００８６】
それに対し、電磁コイル９１への通電をＯＮにすると、図３及び図４（Ｂ）に示される如くに、プランジャ９７は吸引子９５の吸引力により、その上端が吸引子９５に接当する位置まで（圧縮コイルばね９６の付勢力に抗して）引き寄せられる。このときには、弁体９４がポートｃ上にのみ位置し、ポートｂと弁室９９とが連通するので、ポート（吐出側高圧ポート）ｐＡに流入する高圧流体が高圧細管＃ａ→弁室９９→ポートｂ→細管＃ｂ→ポートｐ１０及びポートｐ２０を介して作動室１２及び作動室２２に導入される。
【００８７】
したがって、電磁コイル９１への通電をＯＦＦにすると、各流路切換弁１０、２０の主弁体１５、２５、並びに、各々の逆止弁４５、５５の逆止弁体４８、５８が冷房位置（第２連通状態）から暖房位置（第１連通状態）に移行し、前記した如くの流路切換が行われる一方、電磁コイル９１への通電をＯＮにすると、各流路切換弁１０、２０の主弁体１５、２５、並びに、各々の逆止弁４５、５５の逆止弁体４８、５８が暖房位置（第１連通状態）から冷房位置（第２連通状態）に移行し、前記した如くの流路切換が行われる。
【００８８】
このように、本実施形態の六方切換弁１においては、電磁式三方パイロット弁９０への通電をＯＮ／ＯＦＦで切り換えることで、六方切換弁１内を流通する高圧流体（高圧部分であるポートｐＡを流れる流体）と低圧流体（低圧部分であるポートｐＤを流れる流体）との差圧を利用して六方弁本体９を構成する各流路切換弁１０、２０の主弁体１５、２５を主弁室１４、２４内で連動して移動させることにより、２つの流路切換弁１０、２０に合計で６個設けられたポート間の連通状態が切り換えられ、図５に示される如くのヒートポンプ式冷暖房システム１００において、暖房運転から冷房運転への切り換え、及び、冷房運転から暖房運転への切り換えを行うことができる。
【００８９】
＜六方切換弁１の作用効果＞
以上の説明から理解されるように、本実施形態の六方切換弁１においては、各々の流路切換弁１０、２０において、円筒状の主弁ハウジング１１、２１により画成される主弁室１４、２４内でポペット式の主弁体１５、２５を連動して移動させることにより、連通するポート間（２つの流路切換弁に合計で６個設けられたポート間の連通状態、流路）が切り換えられるようにされているので、従来のスライド式主弁体を使用した六方切換弁と比べて、弁漏れを抑えられるとともに、流路面積を比較的大きくできて、圧力損失を低減できる。また、各々の流路切換弁１０、２０に、主弁体１５、２５を移動させるためのアクチュエータ部が備えられているので、作動差圧の上昇を抑えることもできる。なお、アクチュエータ部としては、上記したようにピストンを用いた構成の他、ソレノイドやモータを用いて主弁体１５、２５を駆動する構成でもよい。
【００９０】
上記に加えて、本実施形態の六方切換弁１をヒートポンプ式冷暖房システム等の、高温高圧の冷媒と低温低圧の冷媒が流される環境で使用する場合、各々の流路切換弁１０、２０はその間に設けられた連通路４０、５０によって比較的大きく離されて設けられているので、高温高圧の冷媒と低温低圧の冷媒とが近接した状態（スライド式主弁体の壁のみで仕切られた状態）で流される従来のものに比べて、主弁ハウジング１１、２１内での熱交換量を大幅に低減でき、そのため、システムの効率を向上できるという効果も得られる。
【００９１】
また、本実施形態の六方切換弁１では、２つの流路切換弁（三方切換弁）１０、２０とともに、２つの逆止弁４５、５５を用いて、連通するポート間を切り換えるようにしたので、例えば、複数の流路切換弁（二方切換弁や三方切換弁）を用いたものと比べて、六方切換弁全体のコストを低減できるという効果もある。
【００９２】
また、本実施形態の六方切換弁１では、各々の流路切換弁１０、２０において、（ピストン１３、２３の）一端側に設けられた作動室１２、２２にのみ高圧流体（作動圧）を導入して、主弁体１５、２５を移動させるようにされるとともに、主弁体１５、２５の外径（シート径）がピストン１３、２３の受圧径より小さくされているので、簡単な構成でもって、各々の流路切換弁１０、２０の主弁体１５、２５を確実に移動させることができるという効果もある。
【００９３】
なお、上記した実施形態の六方切換弁１では、流路切換弁１０に左向きに３個のポート（ポートｐＢ、ポートｐＡ、ポートｐＦ）が設けられ、流路切換弁２０に右向きに３個のポート（ポートｐＣ、ポートｐＤ、ポートｐＥ）が設けられているが、６個のポートｐＡ〜ｐＦの配置構成（向きや位置等）は、図示例に限られないことは勿論である。例えば、流路切換弁１０に設けられた各ポート（管継手）ｐＢ、ｐＡ、ｐＦと流路切換弁２０に設けられた各ポート（管継手）ｐＣ、ｐＤ、ｐＥを前方あるいは後方に向けて延設して、全てのポート（管継手）ｐＡ〜ｐＦの取付け方向を一致させるようにしてもよい。
【００９４】
また、本実施形態の六方切換弁１は、ヒートポンプ式冷暖房システムのみならず、他のシステム、装置、機器類にも組み込めることは勿論である。
【符号の説明】
【００９５】
１  六方切換弁
９  六方弁本体
１０、２０  流路切換弁（第１流路切換弁、第２流路切換弁）
１１、２１  主弁ハウジング（第１主弁ハウジング、第２主弁ハウジング）
１２、２２  作動室（第１作動室、第２作動室）
１３、２３  ピストン（第１ピストン、第２ピストン）
１４、２４  主弁室（第１主弁室、第２主弁室）
１５、２５  主弁体（第１主弁体、第２主弁体）
１６、２６  上部弁座（第１上部弁座、第２上部弁座）
１７、２７  下部弁座（第１下部弁座、第２下部弁座）
１８、２８  連結軸
１９、２９  ガイド軸
４０、５０  連通路（第１連通路、第２連通路）
４５、５５  逆止弁（第１逆止弁、第２逆止弁）
４８、５８  逆止弁体
９０  三方パイロット弁
ｐＡ、ｐＢ、ｐＣ、ｐＤ、ｐＥ、ｐＦ  ポート
【図１】
0006621686.tif 000002
【図２】
0006621686.tif 000003
【図３】
0006621686.tif 000004
【図４】
0006621686.tif 000005
【図５】
0006621686.tif 000006